(57)【要約】  【課題】頭部への着脱を片手で、しかも柔らかなタッチで行うことができ、また装着したままでも頭を洗うことができる入浴用耳被覆具を提供する。  【解決手段】耳を覆うための左右１対のパッド２と、両端に１対のパッド２がそれぞれ取り付けられ、弾性変形することによりパッド間の間隔を拡げることが可能な湾曲アーム３と、湾曲アーム３に設けられ、該アームを片手で弾性変形させることが可能な操作部１４とを備えてなる。パッド２は湾曲アーム３の両端に互いに対向して設けられた軸１１に回転自在に取り付けられている。パッド２は軸１１に揺動自在に取り付けられている。  【選択図】  図１
2005177049.tif 000002
【特許請求の範囲】
【請求項１】
耳を覆うための左右１対のパッドと、
両端に前記１対のパッドがそれぞれ取り付けられ、弾性変形することによりパッド間の間隔を拡げることが可能な湾曲アームと、
この湾曲アームに設けられ、該アームを片手で弾性変形させることが可能な操作部と
を備えてなる入浴用耳被覆具。
【請求項２】
前記パッドは前記湾曲アームの両端に互いに対向して設けられた軸に回転自在に取り付けられていることを特徴とする請求項１記載の入浴用耳被覆具。
【請求項３】
前記パッドは前記軸に揺動自在に取り付けられていることを特徴とする請求項２記載の入浴用耳被覆具。
【請求項４】
前記パッドは前記軸に着脱自在に取り付けられていることを特徴とする請求項２又は３記載の入浴用耳被覆具。
【請求項５】
前記パッドはカップ状本体と、少なくともカップ状本体の周端面に設けられた軟質材料からなるライナーとを備えてなることを特徴とする請求項１〜４のいずれか１に記載の入浴用耳被覆具。
【請求項６】
前記ライナーはカップ状本体に着脱自在に取り付けられていることを特徴とする請求項５記載の入浴用耳被覆具。
【請求項７】
前記操作部は前記湾曲アームから互いに間隔を置いて前記パッドとは反対方向に延びる１対の握り片で構成されることを特徴とする請求項１〜６のいずれか１に記載の入浴用耳被覆具。
【請求項８】
前記湾曲アームは一方のパッド側のアーム部分と、他方のパッド側のアーム部分とが交差することにより形成されるループ状握り部を有し、この握り部によって前記操作部が構成されることを特徴とする請求項１〜６のいずれか１に記載の入浴用耳被覆具。
【発明の詳細な説明】
【技術分野】
【０００１】
この発明は、入浴用耳被覆具に関し、さらに詳細には、乳児の入浴（沐浴）の際に耳の中に湯が入らないように耳を覆うための被覆具に関する。
【背景技術】
【０００２】
一般に、産院では沐浴の仕方として、耳に湯が入らないように乳児の両耳を片手で押さえるよう指導される。しかし、最近では 3,000ｇ 台で出産するケースも少なくない。このような乳児は頭周りも大きく、どうしても両耳を片手で塞ぐことができない場合がある。他方、乳児に沐浴をさせる人（通常、母親や父親）の手が小さい場合なども、両耳を片手で塞ぐことができない。
【０００３】
従来、このような問題を解決するためのものとして、ヘッドフォンタイプの耳被覆具が提案されている（特許文献１参照）。しかし、この従来の被覆具は、乳児の頭部に片手で、しかも柔らかなタッチで着脱することが困難である。すなわち、沐浴時には片手で乳児の体を支えているため、自由に使えるのはもう片方の手であるが、その片方の手で着脱しようとすると、どうしても乱暴な扱いにならざるを得ない。また、頭を洗うときには、被覆具を取り外さなければならない。
【特許文献１】実開平２−１０６２１６号公報
【発明の開示】
【発明が解決しようとする課題】
【０００４】
この発明は上記のような技術的背景に基づいてなされたものであって、次の目的を達成するものである。
この発明の目的は、頭部への着脱を片手で、しかも柔らかなタッチで行うことができる入浴用耳被覆具を提供することにある。
【０００５】
この発明の別の目的は、装着したままでも頭を洗うことができる入浴用被覆具を提供することにある。
【課題を解決するための手段】
【０００６】
この発明は上記課題を達成するために、次のような手段を採用している。
すなわち、この発明は、耳を覆うための左右１対のパッドと、
両端に前記１対のパッドがそれぞれ取り付けられ、弾性変形することによりパッド間の間隔を拡げることが可能な湾曲アームと、
この湾曲アームに設けられ、該アームを片手で弾性変形させることが可能な操作部と
を備えてなる入浴用耳被覆具にある。
【０００７】
より具体的には、前記パッドは前記湾曲アームの両端に互いに対向して設けられた軸に回転自在に取り付けられている。また、前記パッドは前記軸に揺動自在に取り付けられている。また、前記パッドは前記軸に着脱自在に取り付けられている。
【０００８】
前記パッドはカップ状本体と、少なくともカップ状本体の周端面に設けられた軟質材料からなるライナーとを備えてなる。前記ライナーはカップ状本体に着脱自在に取り付けられている。
【０００９】
前記操作部は前記湾曲アームから互いに間隔を置いて前記パッドとは反対方向に延びる１対の握り片で構成される。前記湾曲アームは一方のパッド側のアーム部分と、他方のパッド側のアーム部分とが交差することにより形成されるループ状握り部を有し、この握り部によって前記操作部が構成される。
【発明の効果】
【００１０】
この発明によれば、パッドが取り付けられる弾性変形可能な湾曲アームに、該アームを片手で弾性変形させることが可能な操作部を設けたので、頭部への着脱を片手で、しかも柔らかなタッチで行うことができる。また、パッドを湾曲アームの両端に回転自在に取り付けることにより、湾曲アームを首側、あるいは頭の上というように自由に動かすことができ、したがって装着したままでも頭を洗うことができる。
【発明を実施するための最良の形態】
【００１１】
図１は、この発明の実施形態を示す一部分解した斜視図、図２は一部断面で示す平面図である。耳被覆具１は、左右１対のパッド２と、これらのパッド２が両端にそれぞれに取り付けられる湾曲アームとを備えている。
【００１２】
パッド２はカップ状本体４と、その内面に配置されるライナー５とからなる。カップ状本体４は中央に筒状軸受６を有している。また、カップ状本体４は外周にフランジ部７を有し、このフランジ部７には複数の筒状突起８が周方向に間隔を置いて設けられている。
【００１３】
ライナー５は、この実施形態ではカップ状本体４と同様のカップ状をなし、外周にフランジ部９を有している。このフランジ部９には筒状突起８に対応した複数の穴１０が形成されている。ライナー５は穴１０に筒状突起８が嵌り込むことにより、カップ状本体４に着脱自在に取り付けられる。被覆具１の装着時に、ライナー５は耳（詳しくは耳殻）周囲の皮膚に柔らかく接し、しかも密着する必要があるので、シリコーンゴムなどの軟質材料で作られている。他方、カップ状本体４はジュラコン（ＰＯＭ）やＡＢＳ樹脂などの硬質材料で作られている。
【００１４】
湾曲アーム３には、その両端内面に１対の筒状軸１１が対向して設けられている。この筒状軸１１の長さ方向中間部にはくびれ部１２が形成されている。この筒状軸１１がパッド２の筒状軸受６に嵌合することにより、パッド２が湾曲アーム３に着脱自在に取り付けられる。パッド２を湾曲アーム３に取り付けた状態で、パッド２は湾曲アーム３に対して回転自在である。また、筒状軸１１はくびれ部１２を持ち、カップ状本体４の表面には筒状軸受６を囲むように環状の逃げ凹部１３が形成されているので、パッド２は筒状軸１１の全周位置において揺動自在である。
【００１５】
パッド２の湾曲アームへの着脱を容易にし、またパッド２の揺動を円滑にするために、筒状軸受６及び筒状軸１１には軸方向のスリットが複数設けられている。ライナー５を取り付けるための筒状突起８にも同様のスリットが設けられている。
【００１６】
湾曲アーム３は弾性変形することにより、１対のパッド２，２間の間隔を拡げることが可能である。湾曲アーム３を弾性変形させるための操作部は、この実施形態では、１対の握り片１４，１４からなっている。握り片１４，１４は湾曲アーム３の中央部から互いに間隔を置いてパッド２とは反対方向に延びるように形成されている。これら握り片１４，１４を片手で握ることにより、湾曲アーム３が弾性変形してパッド２，２間の間隔が拡がる。なお、湾曲アーム３もカップ状本体４と同様に、ジュラコン（ＰＯＭ）やＡＢＳ樹脂などの硬質材料で作られる。
【００１７】
次に、上記実施形態のものの使用態様について、図３を参照しながら説明する。耳被覆具１は、乳児に沐浴させる前に予め装着しておいてもよいし、沐浴中に装着することもできる。いずれにしても、１対の握り片１４，１４を片手で握ることによりパッド２，２間の間隔を拡げる。そして、その状態でパッド２により耳を覆い、握りを弱めるというような操作をすることにより、被覆具１を柔らかなタッチで簡単に頭部に装着することができる。
【００１８】
パッド２は湾曲アーム３の軸１１に対して揺動自在であるので、耳周囲の頭部分にフィットする。また、パッド２の内面には軟質材料からなるライナー５が設けられているので、乳児の皮膚に柔らかく接する。
【００１９】
図３では湾曲アーム３が乳児の首側に位置しているが、その付近の体を洗うときは湾曲アーム３をパッド２に対して上方に向けて回動させ、頭の上に位置させることができる。逆に頭を洗うときは、湾曲アーム３を下方に回動させ、図３に示すような位置にもたらすことができる。被覆具１を取り外すときは、握り片１４，１４を握ることにより、片手で簡単に取り外すことができる。
【００２０】
パッド２は湾曲アーム３から取り外すことができ、またカップ状本体４からライナー５を取り外すことができる。このため、カップ状本体４及びライナー５を洗い、あるいは滅菌処理をすることができ、パッド２を常に清潔な状態に保つことができる。
【００２１】
図４は別の実施形態を示す平面図である。（ａ）は湾曲アーム３の中央部を弾性変形部１５とし、握り片１４に指を通すリング部１６を設けた例である。（ｂ）は一方のパッド２側のアーム部分３ａと他方のパッド２側のアーム部分３ｂとを交差させることにより、ループ状握り部１７を形成した例である。このループ状握り部１７を握ることにより、パッド２，２間の間隔を拡げることができる。
【００２２】
上記実施形態は例示にすぎず、この発明は種々の態様を採ることができる。例えば、上記実施形態では、カップ状本体４の内面全体に配置されるライナー５としたが、ライナーは皮膚に直接当たる部分、すなわちフランジ部分にのみ設けるようにしてもよい。
【図面の簡単な説明】
【００２３】
【図１】この発明の実施形態を示す一部分解した斜視図である。
【図２】同実施形態を一部断面で示す平面図である。
【図３】実施形態のものの使用態様を示す斜視図である。
【図４】別の実施形態を示す平面図である。
【符号の説明】
【００２４】
１      耳被覆具
２      パッド
３      湾曲アーム
４      カップ状本体
５      ライナー
６      筒状軸受
７      フランジ部
８      筒状突起
９      フランジ部
１０      穴
１１      筒状軸
１２      くびれ部
１３      逃げ凹部
１４      握り片
１７      ループ状握り部
【図１】
2005177049.tif 000003
【図２】
2005177049.tif 000004
【図３】
2005177049.tif 000005
【図４】
2005177049.tif 000006